Podtech/llm-jp-corpus-v4-ja_patent huggingface dataset:
(57)【要約】      （修正有）【課題】鶏を健康的に飼育できる環境要因を作り、また、耐久性のある樋金具を提供することで消耗品である樋金具の使用サイクルが長くなる養鶏用の樋金具を提供する。【解決手段】硬亜鉛メッキの鉄線を樋本体の形状に合わせて曲げ加工した養鶏用樋金具１０である。硬亜鉛メッキ鉄線（丸棒）を加工して樋金具を製造することで、樋金具と樋本体やケージとが接する面を少なくし、「わくも（ダニ）」の生息を減らすことができ、また材質上、耐久性がある。【選択図】図１
0003190762.tif 000002
【実用新案登録請求の範囲】
【請求項１】
養鶏用のケージに設けられ、餌または水を受ける樋本体を支える養鶏用の樋金具であって、
硬亜鉛メッキされ、径が２ｍｍ〜６ｍｍの鉄線で構成されており、前記ケージおよび前記樋本体の形状に合わせて曲げ加工されることにより形成されていること
を特徴とする養鶏用の樋金具。
【考案の詳細な説明】
【技術分野】
【０００１】  本考案は、鶏舎内の養鶏室（ケージ）に設けられる養鶏用の樋を支持する金具である養鶏用の樋金具に関する。
【背景技術】
【０００２】  従来の養鶏用の樋金具は金属製の平板を樋本体の形状に合わせて加工、製造されている（例えば、特許文献１（図２）に示されている取付金具２４を参照）。しかしながら、従来の養鶏用樋金具は、平板のため、表面積が大きい。つまり樋金具が樋本体やケージと接する面積が大きくなる。その接面にできる隙間が、近年養鶏場で問題となっている鶏の血を吸う「わくも（ダニ）」の温床となりやすく、また、金属の樋金具が水に濡れると錆びやすく耐久年数が短いという欠点があった。
【先行技術文献】
【特許文献】
【０００３】
【特許文献１】  実開平０５−０８２２６１号公報
【考案の概要】
【考案が解決しようとする課題】
【０００４】  本考案は、以上のような従来の欠点に鑑み、金属製平板でなく、硬亜鉛メッキ鉄線（丸棒）を加工して養鶏用の樋金具を製造することで、養鶏用の樋金具と樋本体やケージとが接する面積を小さくし、「わくも（ダニ）」の生息を減らすこと、また、耐久性のある養鶏用の樋金具を提供することを目的としている。
【課題を解決するための手段】
【０００５】  上記目的を達成するために、本考案の養鶏用の樋金具は、養鶏用のケージに設けられ、餌または水を受ける樋本体を支えるものであって、硬亜鉛メッキされ、径が２ｍｍ〜６ｍｍの鉄線で構成されており、前記ケージおよび前記樋本体の形状に合わせて曲げ加工されることにより形成されていることを特徴とする。
【考案の効果】
【０００６】  以上の特徴から明らかなように、本考案にあたっては次に列挙する効果が得られる。【０００７】  （１）本考案の養鶏用の樋金具であれば、硬亜鉛メッキの鉄線で構成されているので、樋金具の表面積を小さくし、樋本体やケージと接する面積を小さくすることができる。したがって、鶏舎内の養鶏室における「わくも」の生息を減らすことができる。また、養鶏室における「わくも」が減ることによって、鶏を健康的に飼育することができる。【０００８】  （２）本考案の養鶏用の樋金具においては、耐久性のある樋金具であるため、消耗品である樋金具の使用サイクルが長くなる。したがって、養鶏場におけるコスト削減につながる。【０００９】
【図面の簡単な説明】
【００１０】
【図１】本考案を実施するための最良の形態である第１実施例の養鶏用樋金具１０を示した図であり、（ａ）は、養鶏用樋金具１０の側面図であり、（ｂ）は、養鶏用樋金具１０がケージ２０に設置された状態を示した図である。
【図２】本考案のその他の実施形態を示した図であり、（ａ）は、その他の実施例のひとつである養鶏用樋金具１３の側面図であり、（ｂ）は、その他の実施例のひとつである養鶏用樋金具１７の側面図である。
【考案を実施するための形態】
【００１１】  以下、本考案の養鶏用の樋金具における実施の形態について説明する。
【実施例１】
【００１２】  本考案の実施例１の養鶏用樋金具１０は、図１（ａ）に示すように、硬亜鉛メッキの鉄線を曲げ加工したものである。この鉄線は、径が４ｍｍのものである。【００１３】  また、養鶏用樋金具１０は、図１（ｂ）に示すように、ケージ２０に引っ掛けて、養鶏用の餌を受ける餌樋本体３０を支えるように設置される。また、養鶏用樋金具１０は、ケージ２０に設けてある餌樋本体３０の形状に合わせて曲げ加工されている。【００１４】  以上のように、養鶏用樋金具１０は、径が４ｍｍの鉄線を曲げ加工されて形成されているため、金属製平板で構成されているものに比べ、表面積を小さくすることができる。したがって、養鶏用樋金具１０を設置すると、餌樋本体３０やケージ２０と接する面積が小さくなり、鶏舎内の養鶏室における「わくも」の生息を減らすことができる。【００１５】  また、本実施例の養鶏用樋金具１０においては、硬亜鉛メッキされた鉄線という耐久性のあるもので形成されているため、消耗品である樋金具の使用サイクルが長くなる。【００１６】  ［その他の実施例］
また、その他の実施例として、養鶏用樋金具１３、および養鶏用樋金具１７がある。養鶏用樋金具１３は、図２（ａ）に示すように、実施例１にて例示したものとは異なるケージおよび餌樋本体の形状に合わせて、実施例１と同様の鉄線を曲げ加工したものである。【００１７】  また、養鶏用樋金具１７は、養鶏用の水を受ける水樋本体を支持するものであり、図２（ｂ）に示すように、実施例１および実施例２にて例示したものとは異なるケージおよび水樋本体の形状に合わせて、硬亜鉛メッキの鉄線で径が３ｍｍのものを曲げ加工したものである。【００１８】  これらの養鶏用樋金具１３および養鶏用樋金具１７においても、実施例１の養鶏用樋金具１０と同様の効果を奏する。
【符号の説明】
【００１９】  １０，１３，１７・・・養鶏用樋金具、２０・・・ケージ、３０・・・餌樋本体。
【図１】
0003190762.tif 000003
【図２】
0003190762.tif 000004
(57)【要約】【課題】  、外出先でも、湯を容易に得ることができる湯入りペットボトルを提供する。【解決手段】  湯入りペットボトル１は、主にキャップ３、ボトル本体５、ラベル７の３つの部材で構成されている。ボトル本体５には、湯が収容されている。湯の温度は、例えば、４５〜７０℃である。また、湯としては、天然水を加熱したものが用いられる。【選択図】図１
0003190786.tif 000002
【実用新案登録請求の範囲】
【請求項１】
開口部を備え液体を収容する収容部と、
前記開口部に着脱自在に装着されるキャップと、
前記収容部の外面に形成されたラベルと
を有し、
前記収容部に湯が収容されている
湯入りペットボトル。
【請求項２】
前記ラベルは、前記収容されている湯あるいは水の温度に応じた色となる領域を有する
請求項１に記載の湯入りペットボトル。
【請求項３】
前記湯は、４５〜７０℃である
請求項１または請求項２に記載の湯入りペットボトル。
【考案の詳細な説明】
【技術分野】
【０００１】
湯を収容した湯入りペットボトルに関するものである。
【背景技術】
【０００２】
ペットボトルは、清涼飲料等の容器として使用されており、軽くて持ちやすい、再栓性がある、衝撃に強い、透明度が高い、衛生上も安全といった優れた特徴を有しており、需要は年々増加している。
ところで、ペットボトルを容器とした清涼飲料としては、冷たい飲料と、温かい飲料とがある。清涼飲料水としては、例えば、コーヒー、スポーツドリンク、お茶等がある。
【考案の概要】
【考案が解決しようとする課題】
【０００３】
ところで、粉ミルクを作ったり、薬を飲むときなど、湯が必要となることがある。
また、健康のために、外出先で、白湯を飲みたいという要請もある。
【０００４】
上述した従来の背景に鑑みて、本考案の目的は、外出先でも、湯を容易に得ることができる湯入りペットボトルを提供することにある。
【課題を解決するための手段】
【０００５】
上述した従来技術の問題点を解決し、上述した目的を達成するために、本考案の湯入りペットボトルは、開口部を備え液体を収容する収容部と、前記開口部に着脱自在に装着されるキャップと、前記収容部の外面に形成されたラベルとを有し、前記収容部に湯が収容されている。
【０００６】
好適には、本考案の湯入りペットボトルの前記ラベルは、前記収容されている湯あるいは水の温度に応じた色となる領域を有する。
好適には、本考案の湯入りペットボトルの前記湯は、４５〜７０℃である。
【考案の効果】
【０００７】
本考案によれば、外出先でも、湯を容易に得ることができる湯入りペットボトルを提供することができる。
【図面の簡単な説明】
【０００８】
【図１】図１は、本考案の第１実施形態の湯入りペットボトルの正面側の外観図である。
【図２】図２は、本考案の第２実施形態の湯入りペットボトルの正面側の外観図である。
【図３】図３は、本考案の第３実施形態の湯入りペットボトルの正面側の外観図である。
【考案を実施するための形態】
【０００９】
［第１実施形態］
以下に、本考案の実施形態に係るペットボトルについて詳細に説明する。
図１に示すように、湯入りペットボトル１は、主にキャップ３、ボトル本体５及びラベル７の３つの部材で構成されている。
キャップ３はＰＰ（ポリプロピレン）またはＰＥ（ポリエチレン）製である。ボトル本体５は、ＰＥＴ（ポリエチレンテレフタレート）製、またラベルはＰＥ製である。
【００１０】
ボトル本体５には、湯が収容されている。湯の温度は、例えば、４５〜７０℃である。また、湯としては、天然水を加熱したものが用いられる。
ボトル本体５には、開口部があり、当該開口部を介して水あるいは湯が充填される。開口部周辺にはキャップ受け部があり、当該キャップ受け部にキャップ３が着脱可能に取り付けられる。ボトル本体５の形状としては、特に限定されるものではなく、胴部が丸形および角形のどちらでも構わない。
【００１１】
ラベル７には、「ＨＯＴ  ＷＡＴＥＲ」、「ホットウォータ」」、「カフェインゼロ」、「カロリーゼロ」等の文字が表示されている。ラベル７は、収容されている湯あるいは水の温度に応じた色となる領域を有するように形成してもよい。例えば、湯が冷めて水になると「ホット」の部分の文字が消えるようにしえもよい。
【００１２】
湯入りペットボトル１は、例えば、ボトル本体５内に水を収容して出荷され、自動販売機やコンビニエンスストア等で加熱された後に販売される。また、湯入りペットボトルは、サプリメントや薬などと連動した売り場つくりが可能なドラックストア等で販売されてもよい。
【００１３】
湯入りペットボトル１によれば、外出先で粉ミルクを作ったり、薬を飲むとき等に湯を購入者に提供できる。また、外出先で、白湯を飲むことができる。
【００１４】
＜第２実施形態＞
本実施形態の湯入りペットボトル１０１は、主にキャップ３、ボトル本体５、ラベル１０７の３つの部材で構成されている。
ラベル１０７には、「美味しい白湯」、「カフェインゼロ」、「カロリーゼロ」等の文字が表示されている。
【００１５】
また、図３に示すように、ラベル２０７に「湯」とシンプルに表示した湯入りペットボトル２０１にしてもよい。
【００１６】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００１７】
本考案は、ペットボトルに適用可能である。
【符号の説明】
【００１８】
１…湯入りペットボトル
３…キャップ３
５…ボトル本体
７，１０７，２０７…ラベル
【図１】
0003190786.tif 000003
【図２】
0003190786.tif 000004
【図３】
0003190786.tif 000005
(57)【要約】      （修正有）【課題】複数のシートに穴を空けずに直線に止着し防水性もある程度維持でき、シートの結束ラインは曲線にも変形でき変則的な外形の内容物にも対応でき、繰り返し使用できて経済的でエコロジーなシートの止着具を提供する。【解決手段】複数のシート４を重ねてロックするオス型１、オス型に嵌合するメス型中スリーブ２、中スリーブに載せた外スリーブ３の３個の部品から構成される。ロック手段のうちオス型は樹脂の押し出し成形に依って作られ、長手方向にトンネル状の穴６を有し、この穴に針金を通すことに依り長手方向に曲線形状を保持することができる。【選択図】図１
0003190740.tif 000002
【実用新案登録請求の範囲】
【請求項１】
３種類の部品から構成される止着具のオス突起の有る嵌合レールは樹脂の押し出し成型に依って作られたことを特徴とするシートの止着具。
【請求項２】
上記請求項１の押し出し成形で作られた嵌合部品オスは部品の長手方向に針金を通す為のトンネルを有することを特徴とするシートの止着具。
【請求項３】
上記３種類の部品から構成されるメス側部品は中スリーブと外スリーブを連結し２個のスリーブの閉じ力を重ねて保持力と操作性を向上したことを特徴とする請求項１記載のシートの止着具。
【考案の詳細な説明】
【技術分野】
【０００１】生地、フイルム、紙、不織布等のシート形状の素材を線状に繋ぎ留める為の新規の止着具を提供する。
【背景技術】
【０００２】２枚のシートを線状に接続するにはそれぞれの素材を縫製、高周波、リベット等の手段により接続しなければならない。例えば１枚のシートを自転車のカバーとして使用した場合シートの４隅が余ってしまい風でバタついたりずれたりしてシートが落ちてしまう。
また従来の主な連結方法としては２枚のシートを紐で縛るか結束道具を用いて係留する方法を用いていた。しかしいずれにしても従来の養生シートの様にハトメによる穴が予め必要であった。この為繋ぎ目からは雨水が容易に侵入した。
【先行技術文献】
【特許文献】
【０００３】
【特許文献１】特許公開２００４−８４４５５
【特許文献２】実用新案公開平５−６１２２４
【０００４】
【考案の概要】
【考案が解決しようとする課題】
【０００５】  シートに切れ目や穴を空ける事無く２枚のシートを線状に繋ぎ留める事が出来尚且つ接続部の防水性も維持できる。
更に１枚のシートを自転車や農機具の立体形の物にカバーとして被せた場合内容物が様々に変わっても内容形状に制約される事無くシートを密着させる事が出来る。不使用の際は未使用時のシート状態に戻す事も可能でコンパクトに保管できる。
【課題を解決するための手段】
【０００６】本考案のオス型押し出し成形樹脂１の突起部７と中スリーブ２の間にシート４を挟み外スリーブ３を上から押し込むと中スリーブ２が移動してシート４を挟んでオス突起７にロックする。更にその上から中スリーブの山位置９に外スリーブの爪１０がスライドして重なり成りロック力が格段に増加する。接続を外す場合は外スリーブ３を引き出し中スリーブ３の山９を外スリーブの爪１０が移動してロックが外れ中スリーブは開口し先端の折り返し爪８は突起部７を容易に抜ける。
スリーブ３の引き出し動作ワンアクションでロックは容易に開放される。
予め押し出し型に設けられたアルミ線のトンネル６にアルミ線をセットすれば保形性が加味され直進性、任意の曲線形に止着できる。
【考案の効果】
【０００７】  気化性防錆シートを使用するケースで具体的に説明する。
例えば冬の北海道では長期に亘って自転車を使用しない期間がある。
この期間中に自転車は錆を発生し耐用期間が著しく短縮する。
冬季前に自転車全体が覆る大きさの防錆シートを被せ余った４隅又は３か所のシートの余剰部分を手繰って本考案具で止着する。
本考案具の撓み度合いが大き過ぎる場合、予めオス型に設けられたトンネル穴にアルミ線を通すことで硬さを添え直進性を得る事が出来る。一方自転車に掛けた防錆シートの裾をアルミ線の曲がりを使って防錆気体がシート外に抜けない様に先端を内側に曲げることで床に密着出来る。
【図面の簡単な説明】
【０００８】
【図１】３個のパーツから構成される止着具のロックする前の斜視図である。
【図２】３個のパーツから構成される止着具のロックする前の側面図である。
【図３】３個のパーツから構成される止着具のロック直前のＡ−Ａ’断面図である。
【図４】３個のパーツから構成される止着具のロック完了時のＡ−Ａ’断面図である。
【図５】中スリーブの拡大斜視図。
【考案を実施するための形態】
【０００９】本考案は大きく３点の部品から構成され、オス型を持つベースラインにメス型のパーツを嵌め込み複数のシートを束ねる嵌合方式を基本にしている。
この嵌合方式を少ない労力とスリーブの移動と云う単純な動きで行えるばかりで無く確実で強力な保持力を得る為メス側を２重に連結してロック圧力を増大する力を創出している。
【符号の説明】１、    押し出し成形樹脂のオス型
２、    中スリーブ
３、    外スリーブ
４、    使用するシート
５、    外スリーブの停止位置用凸ストッパー
６、    針金用トンネル
７、    オス突起
８、    中スリーブの先端折り返しストッパー
９、    中スリーブのスイッチ目的の折れ山
１０、  外ストッパーのスライドブレード
１１、  外スリーブをガイドする中スリーブの切り込み
【図１】
0003190740.tif 000003
【図２】
0003190740.tif 000004
【図３】
0003190740.tif 000005
【図４】
0003190740.tif 000006
【図５】
0003190740.tif 000007
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
複数のシートを重ねてロックするオス型，前記オス型に嵌合するメス型中スリーブ、前記中スリーブに載せた外スリーブから構成される、ロック手段のうち前記オス型は押し出し成形に依って作られ切断可能なことを特徴とするシートの止着具。
【請求項２】
上記オス型は長手方向にトンネル状の穴を有し、前記穴に針金を通すことに依り長手方向に曲線形状を保持することができる請求項１に記載されたシートの止着具。
【請求項３】
請求項１の外スリーブは請求項１のメス型中スリーブ上に載っていて、中スリーブ上を往復運動する事で、中スリーブの開口幅を広げると同時にロック力を増大できる、中スリーブに連結されたことを特徴とする請求項１に記載されたのシートの止着具。
(57)【要約】      （修正有） 【課題】分岐回路の使用電流の電流値を測定・表示することができるコンセントバーを提供する。【解決手段】コンセントバー１０は、給電回路を分岐して形成した複数の分岐回路と、分岐回路を流れる電流を測定する電流測定部２２と、電流測定部の測定結果を表示する表示部２０と、を有する。全ての分岐回路を流れる電流を測定するために電流測定部は、分岐回路の数と同じ数だけ設けられるのが好ましい。【選択図】図１
0003190734.tif 000002
【実用新案登録請求の範囲】
【請求項１】
給電回路を分岐して形成した複数の分岐回路と、
前記分岐回路を流れる電流を測定する電流測定部と、
前記電流測定部の測定結果を表示する表示部と、
を有することを特徴とするコンセントバー。
【請求項２】
前記電流測定部は、前記分岐回路の数と同じ数だけ設けられ、全ての前記分岐回路を流れる電流を測定することを特徴とする請求項１に記載のコンセントバー。
【考案の詳細な説明】
【技術分野】
【０００１】
本考案は、コンセントバーに関する。
【背景技術】
【０００２】
従来では内線規定に基づいた端末側の保護規定があり、３０アンペア（３０Ａ）の回路では、１５アンペア（１５Ａ）又は２０アンペア（２０Ａ）のブレーカーを２個以上取り付け、分岐して使用していた。図２では、従来のコンセントバー１００の構成を示す。
【先行技術文献】
【特許文献】
【０００３】
【特許文献１】特開２０００−１８２７２３号公報
【考案の概要】
【考案が解決しようとする課題】
【０００４】
前記分岐回路にした上で保護回路を設けたものの、分岐回路の使用電流を確認出来ない問題がある。
【０００５】
差込口が複数有るコンセントバーに、電気器機を増設して接続する時に使用電流を把握したいが、使用電流をクランプメータで測定しようとしても、筐体内部の配線構造の関係上困難である。また、コンセントバー内部で分岐して配線しているので、複数のクランプメータが必要となる。
【０００６】
そこで、本考案は、上記問題を解決するためのものであり、分岐回路の使用電流の電流値を測定及び表示することができるコンセントバーを提供することを目的とする。
【課題を解決するための手段】
【０００７】
本考案は、給電回路を分岐して形成した複数の分岐回路と、前記分岐回路を流れる電流を測定する電流測定部と、前記電流測定部の測定結果を表示する表示部と、を有することを特徴とするコンセントバーである。
【０００８】
この場合、前記電流測定部は、前記分岐回路の数と同じ数だけ設けられ、全ての前記分岐回路を流れる電流を測定することが好ましい。
【考案の効果】
【０００９】
本考案によれば、分岐回路の使用電流の電流値を測定及び表示することができる。また、複数の分岐回路の使用電流の電流値の合計値を表示することができる。
【図面の簡単な説明】
【００１０】
【図１】本考案の第１実施形態のコンセントバーの説明図である。
【図２】従来のコンセントバーの説明図である。
【考案を実施するための形態】
【００１１】
本考案の第１実施形態に係るコンセントバーについて、図面を参照して説明する。
【００１２】
図１に示すように、コンセントバー１０は、筐体１２と、複数の差込口１４と、ブレーカー１６と、電源コード１８と、電流表示器２０と、電流センサ２２と、を有している。
【００１３】
筐体１２の内部には、図示しないが、給電回路を分岐した複数の分岐回路が収納されている。
【００１４】
電流センサ２２は、分岐回路の回路数と同じ数だけ配置され、各分岐回路を流れる使用電流の値（電流値）を測定することが可能である。このため、全ての分岐回路を流れる電流の電流値を測定することができる。なお、電流センサ２２は、本考案の電流測定部の一実施態様である。
【００１５】
電流表示器２０は、電流センサ２２により測定された測定値を表示する。電流表示器２０には、状態を色で表示する状態表示ＬＥＤ２０Ａと、表示の切り替えを実行する切替ボタン２０Ｂと、を有している。
【００１６】
電流表示器２０は、複数の電流センサ２２の測定値を後述の電子回路基板で加算して、全ての分岐回路を流れる電流（使用電流）の電流値の合計値を表示することも可能である。なお、電流表示器２０は、本考案の表示部の一実施態様である。
【００１７】
電流表示器２０の筐体内部側の内面には、電流表示器２２を機能させるための電子回路基板（図示省略）と、電子回路基板に接続する電流センサ２２が位置している。
【００１８】
本実施形態のコンセントバー１０によれば、内線規定の３０アンペア（３０Ａ）の給電仕様をクリアして複数の分岐回路の使用電流をそれぞれ測定することができる。
【００１９】
特に、複数の差込口１４のコンセントバー１０の全口数と複数の分岐回路に電気器機を増設する際に、使用電流を把握することができ、電気機器を増設しても良いか否かの判断が可能になる。
【００２０】
さらに、１つの電流表示器２０で、複数の分岐回路の電流値を切替・表示することができるため、小型化が可能になる。
【００２１】
なお、上記実施形態は、一例を示したものであり、これらに限定されるものではない。上記実施形態を適宜設計変更した構成についても、本考案の技術的思想に含まれる。
【符号の説明】
【００２２】
１０      コンセントバー
１２      筐体
１４      差込口
１６      ブレーカー
１８      電源コード
２０      電流表示器
２０Ａ    状態表示ＬＥＤ
２０Ｂ    切替ボタン
２２      電流センサ
【図１】
0003190734.tif 000003
【図２】
0003190734.tif 000004
(57)【要約】      （修正有）【課題】必要に応じて扇子になる折りたたみ帽子を提供する。【解決手段】長さの違うＳ字形状の骨部材１を重ね、骨部材の上端を軸となるよう軸留め具２を設け、骨部材の表面に一定間隔で、プリントされた日よけ生地３を張る。留め具を中心に回動することで扇子になり、さらに回動させ、左右の骨部材の下端に設けた留め具４で止めると帽子になる。【選択図】図１
0003190793.tif 000002
【実用新案登録請求の範囲】
【請求項１】
長さの違うＳ字形状の骨部材を重ね、前記骨部材の上端を軸となるよう軸留め具を設け、
前記骨部材の表面に一定間隔で、プリントされた日よけ生地を張り、留め具を中心に回動することで扇子になり、さらに回動させ、左右の骨部材の下端を止めるための帽子用留め具を設けたことを特徴とする帽子。
【考案の詳細な説明】
【技術分野】
【０００１】
本考案は携帯に便利な折りたたみ帽子で尚且つ扇子としても利用できる。
【背景技術】
【０００２】
夏の野外イベント等では、日傘をさすと後ろの人がステージを見られず迷惑になっていた。また、アイドルやキャラクターの描いたうちわを用いて、その場しのぎの日よけに用いられていた。
【考案の概要】
【考案が解決しようとする課題】
【０００３】
夏のイベント等に参加する際、扇子と日傘や帽子等を一度に持参すると荷物になり、また、落し物の原因になっていた。
【課題を解決するための手段】
【０００４】
本考案は、長さの違うＳ字形状の骨部材を重ね、前記骨部材の上端を軸となるよう留め具を設け、前記骨部材の表面に一定間隔で、プリントされた不織布を張り、留め具を中心に回動することで扇子になる帽子を提供する。
【考案の効果】
【０００５】
留め具を中心に回動することで扇子になり、さらに回動させ、左右の骨部材の下端を止めるための帽子用留め具で止めると帽子になることで、必要に応じて扇子や帽子になるので手荷物が減る。
また、日よけ生地にプリントを、広告やアイドルやキャラクターにすることによって、宣伝や記念グッツにもなる。
【図面の簡単な説明】
【０００６】
【図１】本考案の扇子式折りたたみ帽子の斜視図である。
【図２】展開を途中で止めれば、扇状となり扇子としても利用できる。
【図３】折り畳んだ状態の側面図である。
【考案を実施するための形態】
【実施例】
【０００７】
長さの違うＳ字形状の骨部材（１）を重ね、前記骨部材の上端を軸となるよう軸留め具（２）を設ける。
前記骨部材の表面に一定間隔で日よけ生地（３）を張り、軸留め具を中心に回動することで扇子になる。図２を参照。
さらに回動させ、左右の骨部材の下端を止めるための帽子用留め具（４）を設けて、留めることで帽子になる。    
【０００８】
骨部材は、プラスチック、竹等のＳ字状の形成できる部材であれば何でも良い。
日よけ生地は、不織布、綿や化繊の生地を使用する。
帽子用留め具は、ホック、フック、ボタン、マジックテープ（登録商標）等を用いる。
【符号の説明】
【０００９】
１  骨部材
２  軸留め具
３  日よけ生地（不織布）
４  帽子用留め具
【図１】
0003190793.tif 000003
【図２】
0003190793.tif 000004
【図３】
0003190793.tif 000005
(57)【要約】      （修正有）【課題】墨汁で書道するときに硯を使わず楽に書道を楽しむことができる墨汁容器を提供する。【解決手段】容器の広い面を底にし、底の反対の面の一端に円筒状の口を立設させ、当該口の底の真ん中に半円を設ける。筆を墨汁につけるときに余分な墨汁を掻き落とすことができる。【選択図】図１
0003190445.tif 000002
【実用新案登録請求の範囲】
【請求項１】
墨液の容器
【考案の詳細な説明】
【技術分野】
【０００１】本発案は書道をする人にとって大変便利な墨液の容器である。
【背景技術】
【０００２】本来書道をする人は墨液を硯に入れ書道をする。
【考案の開示】
【考案が解決しようとする課題】
【０００３】その為、毎回硯を洗わなければならないと言う面倒な問題点がある。
【課題を解決するための手段】
【０００４】従来の墨液の容器の広い面を底にし、底の反対の面の一端に口を設け口の中に筆を入れ使用する。よりよく使用できるよう口に余分な墨を落とすための物を設置する。
【考案の効果】
【０００５】本来硯に墨液を入れ使うが、その必要がなくなり硯を使用しなくても書道ができる。そのため面倒なことがなくなる。
【図１】
0003190445.tif 000003
【図２】
0003190445.tif 000004
【手続補正書】
【提出日】平成25年11月29日(2013.11.29)
【手続補正１】
【補正対象書類名】実用新案登録請求の範囲
【補正対象項目名】全文
【補正方法】変更
【補正の内容】
【実用新案登録請求の範囲】
【請求項１】
長方体のような形の墨汁容器、ニュ−墨汁容器である。
【手続補正２】
【補正対象書類名】明細書
【補正対象項目名】全文
【補正方法】変更
【補正の内容】
【考案の詳細な説明】
【技術分野】
【０００１】本発案は書道をする人にとって大変便利な墨汁の容器である。
【技術背景】
【０００２】本来書道をする人は墨汁を硯に入れ書道をする。
【考案の開示】
【考案が解決しようとする課題】
【０００３】その為、毎回硯を洗わなければならないと言う面倒な問題点がある。
【課題解決するための手段】
【０００４】従来の墨汁の容器の広い面を底にし、底の反対の面の一端に口を設け口の中に筆を入れ使用する。よりよく使用できるよう口に余分な墨を落とすための物を設置する。
【考案の効果】
【０００５】  本来硯に墨汁を入れ使うが、その必要がなくなり硯を使用しなくても書道ができる。その為面倒なことがなくなる。
【図面の簡単な説明】
【０００６】
【図１】  長方体の墨汁容器の上に一端に口を設ける
【図２】  口の中に余分な墨汁を落とすな物を設置する
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
容器の広い面を底にし、底の反対の面の一端に円筒状の口を立設させ、当該口の底の真ん中に半円を設け、筆を墨汁につけるときに余分な墨汁を掻き落とすことができる略直方体形状の墨汁容器。
【手続補正２】
【補正対象書類名】明細書
【補正対象項目名】全文
【補正方法】変更
【補正の内容】
【考案の詳細な説明】
【技術分野】
【０００１】        本発案は書道を行う人にとって大変便利な墨汁容器である。
【技術背景】
【０００２】        本来書道を行う人は墨汁を硯に入れ書道を行う。
【考案の開示】
【考案が解決しようとする課題】
【０００３】        その為、毎回硯を洗わなければならないという面倒な問題点がある。
【課題の解決をするための手段】
【０００４】        容器の広い面を底にし、底の反対の面の一端に円筒状の口を立設させ、当該口の底の真ん中に半円設け、筆を墨汁につけるときに余分な墨汁を掻き落とすことができる略直方体形状の墨汁容器。
【考察の効果】
【０００５】        本来、硯に墨汁を入れ使うが、その必要がなくなり硯をしようしなくても書道ができる。その為面倒なことがなくなる。
【図面の簡単な説明】
【０００６】
【図１】  長方体の墨汁容器の上に一端に口を設ける
【図２】  口の中に余分な墨汁を掻き落とす物を設置する
(57)【要約】      （修正有）【課題】女性が膝丈より短いスカートをはいて腰掛けたときに、対面する人から下着が見えないようにしたスカートの重り付裏地を提供する。【解決手段】女性がスカートをはいて腰掛けたときに、両腿の隙間から下着が見えないようにする三角形状の重り付裏地であって、三角形の大きさは、最小で底辺５ｃｍ×高さ３ｃｍ、最大で底辺１５ｃｍ×高さ１０ｃｍとする。底辺以外の２辺は大腿部の太さにあわせて半径（Ｒ）５〜１５ｃｍのカーブをつけ、底辺部分に幅５ｍｍの縫い代を持たせる。装着位置は、三角形の頂点の重りの位置がスカートの縁から３ｃｍ〜５ｃｍの位置に来るように底辺を上側にして底辺部分のみを縫い付け、頂点部分につける重りの重さは、裏地生地の種類・重量によって調整され、５〜５０ｇであることを特徴とする。【選択図】図３
0003190443.tif 000002
【実用新案登録請求の範囲】
【請求項１】
女性がスカートをはいて腰掛けたときに、両腿の隙間から下着が見えないようにする三角形状の重り付き裏地。
【考案の詳細な説明】
【考案の概要】
【考案が解決しようとする課題】
【０００１】本考案は、女性のスカートの裏地に関するものである。
従来の裏地は、スカートの本体生地と同じ形をしており、その機能として、脱着の容易性、本体生地の保護、蒸れやベタつきを抑える等を有していたが、特に膝丈より短いスカートの場合、腰掛けたときに両腿の隙間から下着が対面する人から見えてしまうことがあった。そのため、女性は、エチケットとして両手を添えるか、ハンカチなどで膝を覆う必要があった。
【課題を解決するための手段】
【０００２】そこで、両腿とスカートとの隙間を埋める、三角形状の布の先端に小さな重りをつけたものを裏地につけることを考案した。
【考案の効果】
【０００３】これにより、通常の歩行時に邪魔にならず、腰掛けたときにのみ下がって、両手が使えないときや、ハンカチを持ち合わせていないときでも、正面にいる人から下着が見えないようにすることができる。
【図面の簡単な説明】
【０００４】
【図１】三角形状の裏地の平面図
【図２】スカートの裏側につけた状態の透視図
【図３】腰掛けたときの状態を示す図
【符号の説明】１  縫い代
２  腿の曲線に合わせたカーブ
３  重り
４  スカート本体
【図１】
0003190443.tif 000003
【図２】
0003190443.tif 000004
【図３】
0003190443.tif 000005
【手続補正書】
【提出日】平成25年12月5日(2013.12.5)
【手続補正１】
【補正対象書類名】実用新案登録請求の範囲
【補正対象項目名】全文
【補正方法】変更
【補正の内容】
【実用新案登録請求の範囲】
【請求項１】
女性がスカートをはいて腰掛けたときに、両腿の隙間から下着が見えないようにする三角形状の重り付裏地。三角形の大きさは、最小で底辺５ｃｍ×高さ３ｃｍ。最大で、底辺１５ｃｍ×高さ１０ｃｍ。底辺以外の２辺は、大腿部の太さにあわせてＲ＝５〜１５ｃｍのカーブをつける。底辺部分に、幅５ｍｍの縫い代を持つ。装着位置は、三角形の頂点の重りの位置がスカートの縁から３ｃｍ〜５ｃｍの位置に来るように底辺を上側にして、底辺部分のみを縫い付ける。頂点部分につける重りの重さは、５〜５０ｇ、裏地生地の種類、重量によって調整する。
【手続補正２】
【補正対象書類名】図面
【補正対象項目名】全図
【補正方法】変更
【補正の内容】
【図１】
0003190443.tif 000006
【図２】
0003190443.tif 000007
【図３】
0003190443.tif 000008
【手続補正書】
【提出日】平成26年2月14日(2014.2.14)
【手続補正１】
【補正対象書類名】実用新案登録請求の範囲
【補正対象項目名】全文
【補正方法】変更
【補正の内容】
【実用新案登録請求の範囲】
【請求項１】
女性がスカートをはいて腰掛けたときに、両腿の隙間から下着が見えないようにする三角形状の重り付裏地であって、前記三角形の大きさは、最小で底辺５ｃｍ×高さ３ｃｍ、最大で底辺１５ｃｍ×高さ１０ｃｍであり、前記底辺以外の２辺は大腿部の太さにあわせて半径（Ｒ）５〜１５ｃｍのカーブをつけ、前記底辺部分に幅５ｍｍの縫い代を持ち、装着位置は、三角形の頂点の重りの位置がスカートの縁から３ｃｍ〜５ｃｍの位置に来るように底辺を上側にして底辺部分のみを縫い付け、前記頂点部分につける重りの重さは、裏地生地の種類・重量によって調整され、５〜５０ｇであることを特徴とする重り付裏地。
(57)【要約】      （修正有）【課題】字の大きさ，及び字のバランス取れることできるようにする書道用下敷きを提供する。【解決手段】従来の下敷きの辺に平行に赤線を印刷する、縦に太い線が３本、太い線の間に２本の細い線を印刷する。横は太い線４本、太い線の間に３本の細い線を印刷する。こうして、正方形の格子が下敷きの上に印刷される。【選択図】図１
0003190444.tif 000002
【実用新案登録請求の範囲】
【考案の詳細な説明】
【考案が解決しようとする課題】
【０００１】今までは書道をするの初心者のとっては一枚の半紙に５字の句はよく書きますので、字と字の間隔がきちんとよく書けないため。
【課題を解決するための手段】
【０００２】従来の下敷きの上に赤色で格子を印刷する。
【考案の効果】
【０００３】半紙を透して下敷きの枠が見えるから、字をきちんと書ける。
【図面の簡単な説明】縦太い線が「２ミリ」３本，線と線の間隔１２センチ。線と線の真ん中に細い線が「１ミリ」２本。横は太い線４本、線と線の間隔１２センチ線と線の真ん中に細い線が３本を印刷する。そうすると下敷きの上に均等の格子が「大」６個がある。小さいの格子が字を書く時にバランス取れるために設けた。
【図面の簡単な説明】
【０００５】太い線は格子内に字を書く、細い線は字のバランスをとるために設けた。
【図１】
0003190444.tif 000003
【手続補正書】
【提出日】平成25年11月29日(2013.11.29)
【手続補正１】
【補正対象書類名】実用新案登録請求の範囲
【補正対象項目名】全文
【補正方法】追加
【補正の内容】
【実用新案登録請求の範囲】
【請求項１】
書道の下敷きに赤い格子を印刷したのニュ−下敷きである。
【手続補正２】
【補正対象書類名】明細書
【補正対象項目名】全文
【補正方法】変更
【補正の内容】
【考案の詳細な説明】
【考案が解決しようとする課題】
【０００１】今まで書道をきちんと書けるために、半紙を折って格子作っていた為。とっても面倒である
【課題を解決するための手段】
【０００２】従来の下敷きの上に赤線を印刷する，縦太い線が３本、太い線の間に２本の細い線印刷する。
横が太い線４本、線の間の３本の細い線を印刷する。こうして、均等の格子が下敷きに印刷する。
【考案の効果】
【０００３】半紙下の下敷きの赤線が見えるから、字をきちんと書ける。以前のように、半紙を折り目を作るの面倒がなくなり。
【図面の簡単な説明】
【０００４】
【図１】縦太い線が「２ミリ」３本、線と線の間隔１２センチ。線と線の真ん中に細い線が「１ミリ」２  本。横は太い線４本、線と線の間隔が１２センチ、線と線の真ん中に細い線が３本を印刷する。そうすると下敷きの上に均等の格子が「大」６個がある。小さいの格子が字を書くときにバランス取れるために設けた。
【手続補正書】
【提出日】平成26年2月10日(2014.2.10)
【手続補正１】
【補正対象書類名】実用新案登録請求の範囲
【補正対象項目名】全文
【補正方法】変更
【補正の内容】
【実用新案登録請求の範囲】
【請求項１】
書道用下敷きの辺に対して平行に赤い格子を印刷した略長方形状の書道用下敷き。
【手続補正２】
【補正対象書類名】明細書
【補正対象項目名】全文
【補正方法】変更
【補正の内容】
【考案の詳細な説明】
【考案が解決しようとする課題】
【０００１】    今までは字をきちんと書くために、半紙を折って格子を作っていた為とても面倒である。
【課題を解決する手段】
【０００２】    従来の下敷きの辺に平行に赤線を印刷する、縦に太い線が３本、太い線の間に２本の細い線を印刷する。横は太い線４本、太い線の間に３本の細い線を印刷する。こうして、正方形の格子が下敷きの上に印刷される。
【考察の効果】
【０００３】    半紙を通して下敷きの赤線が透けて見えるので字をきちんと書ける。以前のように、半紙を折って折り目を作る面倒がなくなる。
【図面の簡単な説明】
【０００４】
【図１】『線の太さ』・縦と横の太い線は２ミリ  その間の細い線は１ミリ  『線と線の間の間隔』・太い線と細い線の間は１２センチ
(57)【要約】      （修正有）【課題】ゴルフボールを的確にクラブショットする為のゴルフクラブ練習器を提供する。【解決手段】ゴルフクラブフェイスの反対側１に、クラブシャフトの長さに応じて水平器の角度を自由に調整できる脱着可能な水平器２，３，４を取りつけてゴルフクラブショツトする練習器である。【選択図】図１
0003190449.tif 000002
【実用新案登録請求の範囲】
【請求項１】
クラブシャフトの長さに応じて水平器の角度を自由に調整でき、かつ正しいアドレスが出来るゴルフクラブ練習器
【考案の詳細な説明】
【考案の詳細な説明】
【技術分野】
【０００１】この考案は、クラブシャフトの長さに応じて水平器の角度を自由に調整でき、かつ正しいアドレスができる、脱着可能な水平器をゴルフクラブフェイスの反対側に取りつけたゴルフクラブ練習器。
【背景技術】
【０００２】従来、ゴルフ練習器にはゴルフボ−ルを、Ｘ方向Ｙ方向に対して、水平かつ直角に当てる為の水平器が付いていなかった。
【考案が解決しようとする課題】
【０００３】従来のゴルフ練習器であれば、ゴルフボールを打つ時に、ゴルフクラブのソール底面が直角にかつ、水平に当っているかは、経験でしか解らなかった為に的確なゴルフショットが難しかった。
【課題を解決する為の手段】
【０００４】本考案は、それらの欠点を除く為に発明されたもので、それを図面で説明すればゴルフクラブのフェイス（１）の反対側にゴルフクラブのシャフトの長さに応じて水平器の角度が調整出来る脱着可能な水平器（２）（３）（４）を取り付けたものである。
【実施例】
【０００５】なお、実施に当っては、次のような事が考えられる。
（イ）ドライバーからパターまで全てのゴルフクラブに脱着可能な水平器を取り付けても良い。
（ロ）ゴルフクラブのシャフトに脱着可能な水平器を付けたままフルスウイングしても良い。
【考案の効果】
【０００６】従って、このゴルフ練習器を使用すれば、水平器（２）（３）（４）によってゴルフボールがゴルフクラブフェイスに対して直角に当たるので、アンジュレーションの微妙なバンカーやグリーンでも正確で、しかも確実なクラブショットを愉しむ事が出来、創造を超えた練習器であり、日本国内だけでなく世界のゴルフ愛好者に貢献出来る、画期的なゴルフ練習器である。
【図面の簡単な説明】
【図１】本考案の斜視図
【図２】水平器の拡大図
【図３】水平器の角度を自由に調整できる部品と脱着可能な取り付部品
【符号の説明】（１）は、クラブフェイス
（２）は、水平器
（３）は、どのクラブシャフトも脱着可能な取り付部品
（４）は、ゴルフクラブのシャフトの長さに応じて水平器の角度を自由に調整出来る部品
（５）は、Ｘ方向の水平器とＹ方向の水平器
（６）ゴルフボール
【図１】
0003190449.tif 000003
【図２】
0003190449.tif 000004
【図３】
0003190449.tif 000005
【手続補正書】
【提出日】平成26年1月6日(2014.1.6)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブ脱着器具（３）と３６０°回転器具（４）と水平器（２）をそれぞれ接着した後ゴルフクブ脱着器具（３）をゴルフクラブシャフト（１）に付けたゴルフクラブ練習器
【手続補正２】
【補正対象書類名】明細書
【補正対象項目名】全文
【補正方法】変更
【補正の内容】
【考案の詳細な説明】
【考案の詳細な説明】
【技術分野】
【０００１】この考案は、クラブシャフトの長さに応じて水平器の角度を自由に調整でき、かつ正しいアドレスができる、脱着可能な水平器をゴルフクラブシャフトに取りつけたゴルフクラブ練習器。
【背景技術】
【０００２】従来、ゴルフ練習器にはゴルフボ−ルを、Ｘ方向Ｙ方向に対して、水平かつ直角に当てる為の水平器が付いていなかった。
【考案が解決しょうとする課題】
【０００３】従来のゴルフ練習器であれば、ゴルフボールを打つ時に、ゴルフクラブのソール底面が直角にかつ、水平に当っているかは、経験でしか解らなかった為に的確なゴルフショットが難しかった。
【課題を解決する為の手段】
【０００４】本考案は、それらの欠点を除く為に発明されたもので、それを図面で説明すればゴルフクラブシャフト（１）にゴルフクラブシャフトの長さに応じて水平器の角度が調整出来る脱着可能な水平器（２）（３）（４）を取り付けたものである。
【実施例】
【０００５】なお、実施に当っては、次のような事が考えられる。（イ）ドライバーからパターまで全てのゴルフクラブに脱着可能な水平器を取り付けても良い。（ロ）ゴルフクラブのシャフトに脱着可能な水平器を付けたままフルスウイングしても良い。
【考案の効果】
【０００６】従って、このゴルフ練習器を使用すれば、水平器（２）（３）（４）によってゴルフボールがゴルフクラブフェイスに対して直角に当たるので、アンジュレーションの微妙なバンカーやグリーンでも正確で、しかも確実なクラブショットを愉しむ事が出来、創造を超えた練習器であり、日本国内だけでなく世界のゴルフ愛好者に貢献出来る、画期的なゴルフ練習器である。
【図面の簡単な説明】
【図１】本考案の斜視図
【図２】水平器の拡大図
【図３】クラブシャフト（１）に水平器（２）と水平器の角度を自由に調整できる器具（４）と脱着可能な取り付器具（３）の平面図
【符号の説明】（１）は、クラブクラブシャフト（２）は、水平器（３）は、ゴルフクラブ脱着器具（４）は、３６０度回転器具（５）は、Ｘ方向の水平器とＹ方向の水平器（６）はゴルフボール
【手続補正３】
【補正対象書類名】図面
【補正対象項目名】全図
【補正方法】変更
【補正の内容】
【図１】
0003190449.tif 000006
【図２】
0003190449.tif 000007
【図３】
0003190449.tif 000008
(57)【要約】      （修正有）【課題】人手を介することなく自動的かつ安定的に、使用できると共に、簡単容易に実現される、トライアックによる試験ボタン付き漏電遮断器を提供する。【解決手段】トライアックのカソードＴ１及びアノードＴ２が、試験ボタン付き単相漏電遮断器の試験ボタン接続端子５又は試験ボタン付き三相漏電遮断器の試験ボタン接続端子に接続され、トライアックのゲートＧに入力される入力電気信号で、カソード及びアノードがオン状態となることにより動作して電気火災事故が拡大しないようにする。【選択図】図１
0003190447.tif 000002
【実用新案登録請求の範囲】
【請求項１】
トライアックの出力側３のＴ2、Ｔ1が試験ボタン付き単相漏電遮断器４の試験ボタン付き接点端子５および試験ボタン付き三相漏電遮断器６の試験ボタン付き接点端子７に接続されているトライアックにより動作する試験ボタン付き漏電遮断器。          
【考案の詳細な説明】
【技術分野】
【０００１】
本考案は、トライアックにより動作する試験ボタン付き漏電遮断器に関するものである。
【背景技術】
【０００２】
一般電器製品、産業用機器、変電所内機器等で、電気火災事故が多く発生している。
【先行技術文献】
【特許文献】
【０００３】
【特許文献１】実用新案登録第３１７８６８１号公報
【考案の概要】
【考案が解決しようとする課題】
【０００４】
漏電遮断器は、微小電流（ｍＡ単位）で動作するが、設定した微小電流以下で火災になる、という問題が指摘されていた。
【０００５】
このような実情に鑑み上記の問題を解決すべく結果なされたものであって、自動的かつ安定的に動作できると共に、これが簡単容易に実現されるトライアックにより動作する試験ボタン付き漏電遮断器を提案することを目的とする。
【課題を解決するための手段】
【０００６】
このような課題を解決する本考案は、トライアックのＴ1、Ｔ2端子と、押しボタン付き漏電遮断器の接点端子とを接続させ、トライアックのゲ−トＧとＴ1端子（負極）に、煙警報器、流量警報器、温度警報器などからの異常信号を入力させることにより、トライアックのＴ1、Ｔ2間が導通し、押しボタン付き漏電遮断器を動作させるものである。
【考案の効果】
【０００７】
本考案に係わるトライアックによる押しボタン付き漏電遮断器は次の効果を発揮する。
【０００８】
第１に、自動的かつ安定的に、試験ボタン付き漏電遮断機を動作できる。すなわち、トライアックによる試験ボタン付き漏電遮断器の動作は、人手を介することなく自動的に、異常を感知して、試験ボタン付き漏電遮断器を動作できるようになる。そこで、一般電器製品、産業用機器、変電所内機器として広く使用可能である。
【０００９】
もって、このトライアックによる試験ボタン付き漏電遮断器の動作回路を使用すると、一般電器製品、産業用機器、変電所内機器に、異常が発生した時、電気火災事故が広がらないように、事前に電源回路を遮断できるようになる。
【００１０】
第２に、しかもこれは簡易容易に実現される。すなわち、トライアックによる試験ボタン付き漏電遮断器の動作は、トライアック、試験ボタン付き単相漏電遮断器、試験ボタン付き三相漏電遮断器等の簡単な構成よりなる。もって、コスト面に優れると共に安定性に優れている。このように、この種従来例に存した課題がすべて解決される等、本考案の発揮は、顕著にして大なるものがある。
【図面の簡単な説明】
【００１１】
【図１】本考案のトライアックによる試験ボタン付き単相漏電遮断器用全体図である。
【図２】本考案のトライアックによる試験ボタン付き三相漏電遮断器用全体図である。
【考案を実施するための形態】
【００１２】
図１、図２を参照しつつ、トライアックによる試験ボタン付き漏電遮断器の動作について説明する。トライアックによる試験ボタン付き漏電遮断器は、トライアックによって試験ボタン付き単相漏電遮断器、試験ボタン付き三相漏電遮断器を遮断して、一般電気製品、産業用機器、変電所内機器を異常事態より防御するためである。
【００１３】
これらについて詳述すると、図１、図２、に示したように、まずトライアックへの入力側２のＧ、Ｔ1、トライアックの出力側３のＴ2、Ｔ1が形成されている。
【００１４】
トライアックについて、図１、図２を参照しつつ説明する。トライアックの入力側２のＧ、Ｔ1、トライアックの出力側３のＴ2、Ｔ1は試験ボタン付き単相漏電遮断器４の試験ボタン接点端子５および試験ボタン付き三相漏電遮断器６の試験ボタン接点端子７を接続した構成となっている。
【００１５】
全体の配置は、絶縁性のあるプラスチックの基盤に、ネジで固定し、トライアックは、ＩＣ基盤で、はんだ付けした構成となっている。
【実施例１】
【００１６】
図１、図２で異常が無い時には、トライアックのゲ−トＧの１に、入力電気信号が無いので、単相コンセント８には１００Ｖ、三相コンセント９には２２０Ｖが生じる。
【実施例２】
【００１７】
図１、図２で異常があった時には、トライアックのゲ−トＧの１に、入力電気信号が入るので、トライアックの出力側３のＴ2、Ｔ1が導通し、試験ボタン付き単相漏電遮断器４の接点端子５および試験ボタン付き三相漏電遮断器６の接点端子７を短絡させて、試験ボタン付き単相漏電遮断器４、試験ボタン付き三相漏電遮断器６が動作して単相コンセント８には１００Ｖ、三相コンセント９には２２０Ｖは生じない。
【符号の説明】
【００１８】
１  トライアックのゲ−ト
２  トライアックの入力側
３  トライアックの出力側
４  試験ボタン付き単相漏電遮断器
５  試験ボタン付き単相漏電遮断器の接点端子
６  試験ボタン付き三相漏電遮断器
７  試験ボタン付き三相漏電遮断器の接点端子
８  単相コンセント
９  三相コンセント
【図１】
0003190447.tif 000003
【図２】
0003190447.tif 000004
【手続補正書】
【提出日】平成25年12月16日(2013.12.16)
【手続補正１】
【補正対象書類名】実用新案登録請求の範囲
【補正対象項目名】全文
【補正方法】変更
【補正の内容】
【実用新案登録請求の範囲】
【請求項１】
トライアックの入力側（２）のゲ−トＧ、カソ−ドＴ１の電気入力信号により、トライアックがオン状態になり、トライアックの出力側（３）のアノ−ドＴ２、カソ−ドＴ１が
試験ボタン付き単相漏電遮断器の「接点端子（５）」、試験ボタン付き三相漏電遮断器の「接点端子（７）に接続され、トライアックにより動作する試験ボタン付き漏電遮断器。
【手続補正書】
【提出日】平成26年2月28日(2014.2.28)
【手続補正１】
【補正対象書類名】実用新案登録請求の範囲
【補正対象項目名】全文
【補正方法】変更
【補正の内容】
【実用新案登録請求の範囲】
【請求項１】
トライアックのカソ−ド（Ｔ１）及びアノ−ド（Ｔ２）が、試験ボタン付き単相漏電遮断器の試験ボタン接続端子（５）又は試験ボタン付き三相漏電遮断器の試験ボタン接続端子（７）に接続され、トライアックのゲ−ト（Ｇ）に入力される入力電気信号で、カソ−ド（Ｔ１）及びアノ−ド（Ｔ２）がオン状態となることにより動作する試験ボタン付き漏電遮断器。